(57)【要約】【課題】  伝統的な構造の鼻緒を台に固定することができる留め具、履物および挿げ方法を提供する。【解決手段】  足を載せる台と、台への固定用の２本の前緒３１ａを備える鼻緒とを備える履物の鼻緒を台に固定するための留め具４０は、前緒３１ａおよび留め具４０の連結のために２本の前緒３１ａが留め具４０に巻き付けられるための巻き付け用溝４１が、台の底面側に開口した前側溝に留め具４０が収納される場合の側面に形成されることを特徴とする。【選択図】  図９
2019037683.tif 000002
【特許請求の範囲】
【請求項１】
足を載せる台への固定用の紐を備える鼻緒を前記台に固定するための留め具であって、
前記紐が巻き付けられるための巻き付け用溝が、前記台に収納される場合の側面に形成されることを特徴とする留め具。
【請求項２】
前記紐が挿入されるための紐用穴が、前記台に収納される場合の上面側から底面側に貫通して形成されることを特徴とする請求項１に記載の留め具。
【請求項３】
前記巻き付け用溝および前記紐用穴の間の前記紐を案内するための紐案内溝が、前記台に収納される場合の底面に形成されることを特徴とする請求項２に記載の留め具。
【請求項４】
前記紐案内溝が２つ形成されることを特徴とする請求項３に記載の留め具。
【請求項５】
前記台に収納される場合の底面側と、前記巻き付け用溝との間の前記紐が這わせられるための底面側切欠きが、前記台に収納される場合の底部の側面に形成されることを特徴とする請求項２から請求項４までのいずれかに記載の留め具。
【請求項６】
前記底面側切欠きが２つ形成されることを特徴とする請求項５に記載の留め具。
【請求項７】
前記台に収納される場合の上面側と、前記巻き付け用溝との間の前記紐が這わせられるための上面側切欠きが、前記台に収納される場合の上部の側面に形成されることを特徴とする請求項１から請求項６までのいずれかに記載の留め具。
【請求項８】
前記上面側切欠きが２つ形成されることを特徴とする請求項７に記載の留め具。
【請求項９】
足を載せる台と、
前記台への固定用の紐を備える鼻緒と、
前記鼻緒を前記台に固定するための留め具と
を備え、
前記台は、
底面側に開口して前記留め具を収納するための留め具用溝と、
上面側から前記留め具用溝まで貫通していて前記鼻緒が挿入されるための鼻緒用穴と
が形成され、
前記留め具は、前記紐が巻き付けられるための巻き付け用溝が、前記留め具用溝に収納される場合の側面に形成されることを特徴とする履物。
【請求項１０】
足を載せる台と、
前記台への固定用の紐を備える鼻緒と、
前記鼻緒を前記台に固定するための留め具と
を備える履物の前記鼻緒の挿げ方法であって、
前記台は、
底面側に開口して前記留め具を収納するための留め具用溝と、
上面側から前記留め具用溝まで貫通していて前記鼻緒が挿入されるための鼻緒用穴と
が形成され、
前記留め具は、前記紐が巻き付けられるための巻き付け用溝が、前記留め具用溝に収納される場合の側面に形成され、
前記挿げ方法は、
前記台の上面側から前記鼻緒用穴に前記紐を通す紐通し工程と、
前記紐通し工程の後、前記紐を前記巻き付け用溝において前記留め具に巻き付けることによって前記紐および前記留め具を連結する紐留め具連結工程と、
前記紐留め具連結工程の後、前記留め具を前記留め具用溝に収納する留め具収納工程と
を備えることを特徴とする挿げ方法。
【発明の詳細な説明】
【技術分野】
【０００１】
本発明は、足を載せる台に鼻緒を固定するための留め具、履物および挿げ方法に関する。
【背景技術】
【０００２】
従来、足を載せる台への固定用の紐状の前緒を備える前坪と、台への固定用の紐状の後緒を左右両側に備える横緒とを備える、伝統的な構造の鼻緒を、台に固定する方法としては、台の上面側から底面側まで貫通している前側の穴に、台の上面側から前緒を通した後、台の底面側で前緒によって形成した、穴より大きい結び玉を台に金具で固定したり、台の上面側から底面側まで貫通している後ろ側の左右２つの穴のそれぞれに、台の上面側から後緒を通した後、台の底面側で左右両側の後緒を互いに結び付けたりする方法が知られている。
【０００３】
しかしながら、伝統的な構造の鼻緒を台に固定する従来の方法は、熟練した職人でなければ適切に実行することが困難である。
【０００４】
そこで、従来、容易に鼻緒を挿げ替えることができる方法として、台に鼻緒を固定するための留め具を用いる方法が知られている（例えば、特許文献１参照。）。特許文献１に記載されている留め具は、台への固定用の輪状の弾性部分を備える前坪と、台への固定用の輪状の弾性部分を備える横緒とを備える鼻緒を台に固定するためのものである。
【先行技術文献】
【特許文献】
【０００５】
【特許文献１】特開２０１６−１４０５５６号公報
【発明の概要】
【発明が解決しようとする課題】
【０００６】
しかしながら、特許文献１に記載された留め具を用いて鼻緒を台に固定する方法においては、留め具に適合する専用の構造の鼻緒を台に固定することができるが、伝統的な構造の鼻緒を台に固定することはできないという問題がある。
【０００７】
そこで、本発明は、伝統的な構造の鼻緒を台に固定することができる留め具、履物および挿げ方法を提供することを目的とする。
【課題を解決するための手段】
【０００８】
本発明の留め具は、足を載せる台への固定用の紐を備える鼻緒を前記台に固定するための留め具であって、前記紐が巻き付けられるための巻き付け用溝が、前記台に収納される場合の側面に形成されることを特徴とする。
【０００９】
この構成により、本発明の留め具は、鼻緒の紐が巻き付け用溝において巻き付けられることによって、鼻緒の紐と連結されるので、鼻緒の紐と連結された後、台に収納されることによって、伝統的な構造の鼻緒を台に固定することができる。
【００１０】
本発明の留め具は、前記紐が挿入されるための紐用穴が、前記台に収納される場合の上面側から底面側に貫通して形成されても良い。
【００１１】
この構成により、本発明の留め具は、鼻緒の紐が紐用穴を通されて巻き付け用溝において巻き付けられるので、鼻緒の紐との連結を強めることができ、鼻緒を台に、より強固に固定することができる。
【００１２】
本発明の留め具は、前記巻き付け用溝および前記紐用穴の間の前記紐を案内するための紐案内溝が、前記台に収納される場合の底面に形成されても良い。
【００１３】
この構成により、本発明の留め具は、鼻緒の紐が紐用穴を通されて紐案内溝に案内されて巻き付け用溝において巻き付けられるので、鼻緒の紐との連結を強めることができ、鼻緒を台に、より強固に固定することができる。
【００１４】
本発明の留め具は、前記紐案内溝が２つ形成されても良い。
【００１５】
この構成により、本発明の留め具は、２つの紐案内溝のそれぞれに紐が案内されることが可能であるので、巻き付け用溝において巻き付けられる紐の本数が２本であることに適している。本発明の留め具は、鼻緒の２本の紐が巻き付け用溝において巻き付けられる場合、鼻緒の紐との連結を強めることができ、鼻緒を台に、より強固に固定することができる。
【００１６】
本発明の留め具は、前記台に収納される場合の底面側と、前記巻き付け用溝との間の前記紐が這わせられるための底面側切欠きが、前記台に収納される場合の底部の側面に形成されても良い。
【００１７】
この構成により、本発明の留め具は、底面側と、巻き付け用溝との間の紐が留め具と、台との間に強く挟まれることを底面側切欠きによって抑えることができるので、紐が底部の側面側を経由して底面側および巻き付け用溝の間に配置されている状態であっても、台に収納されることを容易化することができ、鼻緒を台に固定するための作業を容易化することができる。
【００１８】
本発明の留め具は、前記底面側切欠きが２つ形成されても良い。
【００１９】
この構成により、本発明の留め具は、２つの底面側切欠きのそれぞれに紐が這わせられることが可能であるので、巻き付け用溝において巻き付けられる紐の本数が２本であることに適している。本発明の留め具は、鼻緒の２本の紐が巻き付け用溝において巻き付けられる場合、鼻緒の紐との連結を強めることができ、鼻緒を台に、より強固に固定することができる。
【００２０】
本発明の留め具は、前記台に収納される場合の上面側と、前記巻き付け用溝との間の前記紐が這わせられるための上面側切欠きが、前記台に収納される場合の上部の側面に形成されても良い。
【００２１】
この構成により、本発明の留め具は、上面側と、巻き付け用溝との間の紐が留め具と、台との間に強く挟まれることを上面側切欠きによって抑えることができるので、紐が上部の側面側を経由して上面側および巻き付け用溝の間に配置されている状態であっても、台に収納されることを容易化することができ、鼻緒を台に固定するための作業を容易化することができる。
【００２２】
本発明の留め具は、前記上面側切欠きが２つ形成されても良い。
【００２３】
この構成により、本発明の留め具は、２つの上面側切欠きのそれぞれに紐が這わせられることが可能であるので、巻き付け用溝において巻き付けられる紐の本数が２本であることに適している。本発明の留め具は、鼻緒の２本の紐が巻き付け用溝において巻き付けられる場合、鼻緒の紐との連結を強めることができ、鼻緒を台に、より強固に固定することができる。
【００２４】
本発明の履物は、足を載せる台と、前記台への固定用の紐を備える鼻緒と、前記鼻緒を前記台に固定するための留め具とを備え、前記台は、底面側に開口して前記留め具を収納するための留め具用溝と、上面側から前記留め具用溝まで貫通していて前記鼻緒が挿入されるための鼻緒用穴とが形成され、前記留め具は、前記紐が巻き付けられるための巻き付け用溝が、前記留め具用溝に収納される場合の側面に形成されることを特徴とする。
【００２５】
この構成により、本発明の履物は、鼻緒の紐が台の上面側から台の鼻緒用穴に通された後、鼻緒の紐が留め具の巻き付け用溝において留め具に巻き付けられることによって、鼻緒の紐および留め具が連結されるので、鼻緒の紐および留め具が連結された後、留め具が台の留め具用溝に収納されることによって、伝統的な構造の鼻緒が台に固定されることができる。
【００２６】
本発明の挿げ方法は、足を載せる台と、前記台への固定用の紐を備える鼻緒と、前記鼻緒を前記台に固定するための留め具とを備える履物の前記鼻緒の挿げ方法であって、前記台は、底面側に開口して前記留め具を収納するための留め具用溝と、上面側から前記留め具用溝まで貫通していて前記鼻緒が挿入されるための鼻緒用穴とが形成され、前記留め具は、前記紐が巻き付けられるための巻き付け用溝が、前記留め具用溝に収納される場合の側面に形成され、前記挿げ方法は、前記台の上面側から前記鼻緒用穴に前記紐を通す紐通し工程と、前記紐通し工程の後、前記紐を前記巻き付け用溝において前記留め具に巻き付けることによって前記紐および前記留め具を連結する紐留め具連結工程と、前記紐留め具連結工程の後、前記留め具を前記留め具用溝に収納する留め具収納工程とを備えることを特徴とする。
【００２７】
この構成により、本発明の挿げ方法は、鼻緒の紐を台の上面側から台の鼻緒用穴に通した後、鼻緒の紐を留め具の巻き付け用溝において留め具に巻き付けることによって、鼻緒の紐および留め具を連結するので、鼻緒の紐および留め具を連結した後、留め具を台の留め具用溝に収納することによって、伝統的な構造の鼻緒を台に固定することができる。
【発明の効果】
【００２８】
本発明の留め具、履物および挿げ方法は、伝統的な構造の鼻緒を台に固定することができる。
【図面の簡単な説明】
【００２９】
【図１】本発明の一実施の形態に係る履物の外観斜視図である。
【図２】図１に示す履物のうち右足用の方の底面図である。
【図３】台に挿げられる前の、図１に示す鼻緒の平面図である。
【図４】一部の撚りが解かれた状態の、図３に示す後緒の平面図である。
【図５】（ａ）図１に示す台の平面図である。  （ｂ）図５（ａ）に示す台の底面図である。  （ｃ）図５（ａ）のＩ−Ｉ矢視断面図である。
【図６】（ａ）図２に示す留め具の平面図である。  （ｂ）図６（ａ）に示す留め具の底面図である。  （ｃ）図６（ａ）に示す留め具の側面図である。  （ｄ）図６（ｂ）のＩＩ−ＩＩ矢視断面図である。
【図７】図５に示す台の前側穴に鼻緒の２本の前緒が通される作業の様子を示す図である。
【図８】図６に示す留め具の紐用穴に鼻緒の２本の前緒が通された状態での台、鼻緒および留め具の底面図である。
【図９】図３に示す鼻緒の２本の前緒と、留め具との連結方法を示す鼻緒および留め具の底面図である。
【図１０】図１に示す履物の一部の側面断面図である。
【図１１】（ａ）図６に示す形状とは異なる形状の留め具の底面図である。  （ｂ）図１１（ａ）のＩＩＩ−ＩＩＩ矢視断面図である。
【図１２】（ａ）図６および図１１に示す形状とは異なる形状の留め具の底面図である。  （ｂ）図１２（ａ）のＩＶ−ＩＶ矢視断面図である。
【図１３】（ａ）図６、図１１および図１２に示す形状とは異なる形状の留め具の底面図である。  （ｂ）図１３（ａ）のＶ−Ｖ矢視断面図である。
【図１４】（ａ）図６、図１１、図１２および図１３に示す形状とは異なる形状の留め具の平面図である。  （ｂ）図１４（ａ）に示す留め具の底面図である。  （ｃ）図１４（ｂ）のＶＩ−ＶＩ矢視断面図である。
【発明を実施するための形態】
【００３０】
以下、本発明の実施の形態について、図面を用いて説明する。
【００３１】
まず、本発明の一実施の形態に係る履物の構成について説明する。
【００３２】
図１は、本実施の形態に係る履物１０の外観斜視図である。図２は、履物１０のうち右足用の方の底面図である。
【００３３】
図１および図２に示すように、履物１０は、足を載せる台２０と、鼻緒３０と、鼻緒３０を台２０に固定するための留め具４０とを備えている。履物１０は、台２０が変更されることによって、下駄、雪駄、サンダルなど、種々の履物に変更されることが可能である。
【００３４】
図３は、台２０（図１参照。）に挿げられる前の鼻緒３０の平面図である。
【００３５】
図３に示すように、鼻緒３０は、台２０（図１参照。）への固定用の紐状の２本の前緒３１ａを備える前坪３１と、台２０への固定用の紐状の後緒３２ａを左右両側に備える横緒３２とを備えており、伝統的な構造の鼻緒である。
【００３６】
前緒３１ａは、２本の紐がねじり合わされた撚り紐である。
【００３７】
図４は、一部の撚りが解かれた状態の後緒３２ａの平面図である。
【００３８】
図４に示すように、後緒３２ａは、２本の紐３２ｂがねじり合わされた撚り紐である。紐３２ｂも、図示してはいないが、複数本の紐がねじり合わされた撚り紐である。
【００３９】
図５（ａ）は、台２０の平面図である。図５（ｂ）は、台２０の底面図である。図５（ｃ）は、図５（ａ）のＩ−Ｉ矢視断面図である。
【００４０】
図５に示すように、台２０は、底面側に開口して留め具４０（図２参照。）を収納するための留め具用溝としての前側溝２１ａと、上面側から前側溝２１ａまで貫通していて鼻緒３０（図３参照。）の前坪３１（図３参照。）が挿入されるための鼻緒用穴としての前側穴２１ｂと、底面側に開口して留め具４０を収納するための留め具用溝としての左右の後側溝２２ａと、上面側から後側溝２２ａまで貫通していて鼻緒３０の横緒３２（図３参照。）が挿入されるための鼻緒用穴としての後側穴２２ｂとが形成されている。前側溝２１ａ、前側穴２１ｂおよび後側溝２２ａは、それぞれ、円柱形状の溝である。後側穴２２ｂは、履物１０（図１参照。）が履かれた場合に横緒３２に発生する捩れを抑えるために楕円柱形状の溝である。
【００４１】
前側溝２１ａに収納される留め具４０と、後側溝２２ａに収納される留め具４０とは、全く同一の形状である。したがって、以下においては、留め具４０の構成として、前側溝２１ａに収納される留め具４０の構成を説明する。
【００４２】
以下において、留め具４０の上面、底面および側面とは、それぞれ、留め具４０が前側溝２１ａに収納された場合の上面、底面および側面である。すなわち、留め具４０の上面側の方向、底面側の方向および側面側の方向は、それぞれ、留め具４０が前側溝２１ａに収納された場合の台２０の上面側の方向、底面側の方向および側面側の方向と同一である。
【００４３】
図６（ａ）は、留め具４０の平面図である。図６（ｂ）は、留め具４０の底面図である。図６（ｃ）は、留め具４０の側面図である。図６（ｄ）は、図６（ｂ）のＩＩ−ＩＩ矢視断面図である。
【００４４】
図６に示すように、留め具４０は、前緒３１ａ（図３参照。）および留め具４０の連結のために前緒３１ａが巻き付けられるための巻き付け用溝４１が側面に形成されている。
【００４５】
留め具４０は、上面側から底面側に貫通していて前緒３１ａが挿入されるための紐用穴４２が形成されている。
【００４６】
留め具４０は、巻き付け用溝４１および紐用穴４２の間の前緒３１ａを案内するための２つの紐案内溝４３が底面に形成されている。
【００４７】
留め具４０は、上面側および巻き付け用溝４１の間の前緒３１ａが這わせられるための２つの上面側切欠き４４が上部の側面に形成されている。
【００４８】
次に、台２０に鼻緒３０を挿げて履物１０を製造する方法について説明する。
【００４９】
図７は、台２０の前側穴２１ｂに鼻緒３０の２本の前緒３１ａが通される作業の様子を示す図である。
【００５０】
作業者は、図７に示すように、台２０の上面側から前側穴２１ｂに鼻緒３０の２本の前緒３１ａを通した後、台２０の底面側から前緒３１ａを引っ張ることによって、前坪３１の生地の先端部分を前側穴２１ｂに挿入する。なお、作業者は、前緒３１ａを前側穴２１ｂに通す場合に、竹串や楊枝などの細い棒を使用して前緒３１ａを前側穴２１ｂに押し込んでも良い。
【００５１】
図８は、留め具４０の紐用穴４２に鼻緒３０の２本の前緒３１ａが通された状態での台２０、鼻緒３０および留め具４０の底面図である。
【００５２】
作業者は、前坪３１の生地の先端部分を前側穴２１ｂに挿入した後、図８に示すように、留め具４０の上面側から紐用穴４２に鼻緒３０の２本の前緒３１ａを通す。なお、作業者は、前緒３１ａを紐用穴４２に通す場合に、竹串や楊枝などの細い棒を使用して前緒３１ａを紐用穴４２に押し込んでも良い。
【００５３】
図９は、鼻緒３０の２本の前緒３１ａと、留め具４０との連結方法を示す鼻緒３０および留め具４０の底面図である。
【００５４】
作業者は、留め具４０の紐用穴４２に鼻緒３０の２本の前緒３１ａを通した後、図９に示すように、鼻緒３０の２本の前緒３１ａをそれぞれ留め具４０の２つの紐案内溝４３に押し込むことによって、前緒３１ａを紐案内溝４３に這わせる。次いで、作業者は、２本の前緒３１ａを留め具４０の巻き付け用溝４１（図６参照。）に這わせて２本の前緒３１ａを留め具４０に巻き付けることによって前緒３１ａおよび留め具４０を連結する。なお、図９に示す状態は、前緒３１ａの巻き方を容易に理解することができるように、前緒３１ａおよび留め具４０が強固に連結される前の状態を示している。実際には、２本の前緒３１ａは、結び目３１ｂおよび結び目３１ｃで強固に結び付けられることによって、留め具４０に強固に巻き付いて留め具４０と強固に連結される。２本の前緒３１ａは、結び目３１ｂおよび結び目３１ｃのいずれか１つのみで結び付けられても良い。
【００５５】
図１０は、履物１０の一部の側面断面図である。
【００５６】
作業者は、前緒３１ａおよび留め具４０を連結した後、鼻緒３０の２本の前緒３１ａをそれぞれ留め具４０の２つの上面側切欠き４４に這わせることによって、前緒３１ａの先端側の部分を留め具４０の上面側に配置する。次いで、作業者は、図１０に示すように、留め具４０の底面が台２０の底面より上側に配置されるように、留め具４０を台２０の前側溝２１ａに収納する。留め具４０の底面を台２０の底面より上側に配置する理由は、履物１０が使用された場合に、前緒３１ａおよび留め具４０が地面に触れて損傷することを抑えるためである。
【００５７】
なお、前緒３１ａの先端側の部分は、前側溝２１ａ内の空間のうち、台２０および留め具４０によって囲まれた、留め具４０の上面側の空間２１ｃに配置される。前緒３１ａの先端側の部分は、例えば、前緒３１ａのうち、前側穴２１ｂ内の部分と、紐用穴４２内の部分との間の部分に巻き付けられても良い。作業者は、前緒３１ａの先端側の部分が空間２１ｃに全て収納されることができない程度に長い場合には、前緒３１ａの先端側の部分の一部をはさみなどの工具で切り離すことによって、前緒３１ａの先端側の部分を短縮すると良い。
【００５８】
以上の作業によって、鼻緒３０の前坪３１は、台２０に固定される。
【００５９】
作業者は、鼻緒３０の前坪３１を留め具４０によって台２０に固定した後、同様の方法によって、鼻緒３０の横緒３２を留め具４０によって台２０に固定する。ただし、台２０の１つの後側穴２２ｂに通される横緒３２の後緒３２ａは、１本である。したがって、作業者は、１本の後緒３２ａの撚りを解いて２本の紐３２ｂ（図４参照。）にし、これらの紐３２ｂを、鼻緒３０の前坪３１を留め具４０によって台２０に固定する方法における２本の前緒３１ａと同様に扱うことによって、鼻緒３０の横緒３２を留め具４０によって台２０に固定する。
【００６０】
以上においては、鼻緒３０の前坪３１が台２０に固定された後、鼻緒３０の横緒３２が台２０に固定される例について説明している。しかしながら、鼻緒３０の前坪３１および横緒３２は、いずれが先に台２０に固定されても良い。
【００６１】
次に、履物１０の履き心地を調整する方法について説明する。
【００６２】
作業者は、鼻緒３０の前坪３１に対して、台２０の上面に出ている部分の長さを調整したり、鼻緒３０の横緒３２のうち、前坪３１より右側の部分に対して、台２０の上面に出ている部分の長さを調整したり、鼻緒３０の横緒３２のうち、前坪３１より左側の部分に対して、台２０の上面に出ている部分の長さを調整したりすることによって、履物１０の履き心地を調整することができる。
【００６３】
作業者は、鼻緒３０の前坪３１に対して、台２０の上面に出ている部分の長さを調整する場合、留め具４０を台２０の前側溝２１ａから取り外す。ここで、台２０の前側溝２１ａから留め具４０を取り外す方法としては、例えば、台２０の上面側から前坪３１を前側穴２１ｂに押し込むことによって、前坪３１によって留め具４０を台２０の前側溝２１ａから押し出す方法がある。作業者は、留め具４０を台２０の前側溝２１ａから取り外した後、前緒３１ａおよび留め具４０の連結を解除する。そして、作業者は、鼻緒３０の前坪３１と、横緒３２との接続部分から留め具４０までの前坪３１の長さを調整して前緒３１ａおよび留め具４０を再び連結した後、留め具４０を台２０の前側溝２１ａに再び収納する。作業者は、以上の作業によって、鼻緒３０の前坪３１に対して、台２０の上面に出ている部分の長さを調整することができる。
【００６４】
なお、鼻緒３０の横緒３２のうち、前坪３１より右側の部分に対して、台２０の上面に出ている部分の長さを調整する方法と、鼻緒３０の横緒３２のうち、前坪３１より左側の部分に対して、台２０の上面に出ている部分の長さを調整する方法とは、鼻緒３０の前坪３１に対して、台２０の上面に出ている部分の長さを調整する方法と同様であるので、説明を省略する。
【００６５】
次に、台２０から鼻緒３０を取り外す方法について説明する。
【００６６】
台２０から鼻緒３０を取り外す方法は、台２０に鼻緒３０を固定する方法と反対の手順である。したがって、作業者は、台２０に鼻緒３０を固定する方法と反対の手順を実行することによって、台２０から鼻緒３０を取り外すことができる。
【００６７】
以上に説明したように、留め具４０は、鼻緒３０の前緒３１ａが台２０の上面側から台２０の前側穴２１ｂに通された後、２本の前緒３１ａが巻き付け用溝４１において巻き付けられることによって、前緒３１ａと連結されるので、前緒３１ａと連結された後、台２０の前側溝２１ａに収納されることによって、伝統的な構造の鼻緒３０を台２０に固定することができる。前緒３１ａと、留め具４０との関係について説明したが、後緒３２ａの紐３２ｂと、留め具４０との関係についても同様である。以下においても、前緒３１ａと、留め具４０との関係についてのみ説明するが、後緒３２ａの紐３２ｂと、留め具４０との関係についても同様である。
【００６８】
伝統的な構造の鼻緒３０の挿げ替えは、従来、熟練した職人でなければ適切に実行することが困難であった。しかしながら、留め具４０は、台２０に対する鼻緒３０の固定および取り外しを容易化することができるので、伝統的な構造の鼻緒３０を誰でも比較的簡単に挿げ替えることを可能にする。
【００６９】
留め具４０は、伝統的な構造の鼻緒３０、すなわち、多数のデザインが存在する一般的な鼻緒３０を台２０に固定することができるので、製造可能な履物１０のデザインの種類を向上することができる。
【００７０】
留め具４０は、伝統的な構造の鼻緒３０を台２０に固定することができるので、伝統的な構造の鼻緒３０の購買数を増加させることができ、結果として、鼻緒３０の職人の伝統技術を守ることができる。
【００７１】
図１１（ａ）は、上述した形状とは異なる形状の留め具４０の底面図である。図１１（ｂ）は、図１１（ａ）のＩＩＩ−ＩＩＩ矢視断面図である。
【００７２】
図６に示す留め具４０は、底面側および巻き付け用溝４１の間の前緒３１ａが這わせられるための底面側切欠きを紐案内溝４３が兼ねている。しかしながら、留め具４０は、図１１に示すように、底面側および巻き付け用溝４１の間の前緒３１ａが這わせられるための底面側切欠き４５が、紐案内溝４３とは別に、底部の側面に形成されても良い。
【００７３】
留め具４０は、底面側および巻き付け用溝４１の間の前緒３１ａが留め具４０の側面と、台２０の前側溝２１ａの内面との間に強く挟まれることを底面側切欠き４５によって抑えることができるので、前緒３１ａが底部の側面側を経由して底面側および巻き付け用溝４１の間に配置されている状態であっても、台２０の前側溝２１ａに収納されることを容易化することができ、鼻緒３０を台２０に固定するための作業を容易化することができる。
【００７４】
図１２（ａ）は、上述した形状とは異なる形状の留め具４０の底面図である。図１２（ｂ）は、図１２（ａ）のＩＶ−ＩＶ矢視断面図である。
【００７５】
留め具４０は、例えば図１２に示すように、底面側切欠きが形成されていない構成であっても良い。
【００７６】
留め具４０は、鼻緒３０の前緒３１ａが紐用穴４２を通されて紐案内溝４３に案内されて巻き付け用溝４１において巻き付けられるので、紐案内溝４３が形成されていない構成と比較して、鼻緒３０の前緒３１ａとの連結を強めることができ、鼻緒３０を台２０に、より強固に固定することができる。
【００７７】
図１３（ａ）は、上述した形状とは異なる形状の留め具４０の底面図である。図１３（ｂ）は、図１３（ａ）のＶ−Ｖ矢視断面図である。
【００７８】
留め具４０は、例えば図１３に示すように、紐案内溝が形成されていない構成であっても良い。
【００７９】
留め具４０は、台２０の上面側から前側穴２１ｂに通された、鼻緒３０の前緒３１ａが紐用穴４２を通されて巻き付け用溝４１において巻き付けられるので、紐用穴４２が形成されていない構成と比較して、鼻緒３０の前緒３１ａとの連結を強めることができ、鼻緒３０を台２０に、より強固に固定することができる。
【００８０】
図１４（ａ）は、上述した形状とは異なる形状の留め具４０の平面図である。図１４（ｂ）は、図１４（ａ）に示す留め具４０の底面図である。図１４（ｃ）は、図１４（ｂ）のＶＩ−ＶＩ矢視断面図である。
【００８１】
留め具４０は、例えば図１４に示すように、紐用穴が形成されていない構成であっても良い。留め具４０は、図１４に示すような構成であっても、２本の前緒３１ａが巻き付け用溝４１において巻き付けられることによって、前緒３１ａと連結されることができる。
【００８２】
留め具４０は、上面側および巻き付け用溝４１の間の前緒３１ａが留め具４０の側面と、台２０の前側溝２１ａの内面との間に強く挟まれることを上面側切欠き４４によって抑えることができるので、前緒３１ａが上部の側面側を経由して上面側および巻き付け用溝４１の間に配置されている状態であっても、台２０の前側溝２１ａに収納されることを容易化することができ、鼻緒３０を台２０に固定するための作業を容易化することができる。なお、留め具４０は、上面側切欠き４４が形成されていなくても良い。
【００８３】
留め具４０は、本実施の形態において、鼻緒３０の２本の前緒３１ａまたは２本の紐３２ｂが巻き付け用溝４１において巻き付けられるので、前緒３１ａまたは紐３２ｂと強固に連結されることができる。しかしながら、留め具４０は、巻き付け用溝４１において巻き付けられる紐の本数が２本以外であっても良い。例えば、留め具４０は、鼻緒３０の１本の前緒３１ａのみが巻き付け用溝４１において巻き付けられても良いし、鼻緒３０の１本の後緒３２ａのみが巻き付け用溝４１において巻き付けられても良い。留め具４０は、鼻緒３０の１本の前緒３１ａまたは１本の後緒３２ａのみが巻き付け用溝４１において巻き付けられる場合、紐案内溝４３、上面側切欠き４４、底面側切欠き４５がそれぞれ１つのみ形成されても良い。
【符号の説明】
【００８４】
１０  履物
２０  台
２１ａ  前側溝（留め具用溝）
２１ｂ  前側穴（鼻緒用穴）
２２ａ  後側溝（留め具用溝）
２２ｂ  後側穴（鼻緒用穴）
３０  鼻緒
３１ａ  前緒（紐）
３２ｂ  紐
４０  留め具
４１  巻き付け用溝
４２  紐用穴
４３  紐案内溝
４４  上面側切欠き
４５  底面側切欠き
【図１】
2019037683.tif 000003
【図２】
2019037683.tif 000004
【図３】
2019037683.tif 000005
【図４】
2019037683.tif 000006
【図５】
2019037683.tif 000007
【図６】
2019037683.tif 000008
【図７】
2019037683.tif 000009
【図８】
2019037683.tif 000010
【図９】
2019037683.tif 000011
【図１０】
2019037683.tif 000012
【図１１】
2019037683.tif 000013
【図１２】
2019037683.tif 000014
【図１３】
2019037683.tif 000015
【図１４】
2019037683.tif 000016